(57)【要約】【課題】  全体の構成が簡単で、稼動部の軽量化が可能で、かつ薄型化でき、更に優れた感度特性を有する光ピックアップ用のアクチュエータを提供する。【解決手段】ホルダー１１が固設されるベース１０と、記録密度が相異なる光ディスクを記録及び／又は再生するための複数の対物レンズ３１，３５が相異なる高さに設置可能に複数の設置孔２１，２５が形成されたボビン２０と、一端が前記ボビン２０に結合されて他端が前記ホルダー１１に結合され、前記ボビン２０を移動自在に支持する支持部材１３と、前記ボビン２０をフォーカス方向及びトラック方向に駆動するための磁気回路とを含むことを特徴とする光ピックアップ用のアクチュエータ。この光ピックアップ用のアクチュエータは、可動部の軽量化が可能であるほか、光ピックアップの薄型化に寄与できる。【選択図】      図２
2010108599.tif 000002
【特許請求の範囲】
【請求項１】
記録密度が相異なる光ディスクを記録及び／又は再生するための複数の対物レンズが相異なる高さに設置可能に複数の設置孔が形成されたレンズホルダーと、
前記レンズホルダーを移動自在に支持する支持部材と、を有し、
前記複数の設置孔は、第１の光ディスク用の第１の対物レンズを設けるための第１の設置孔と、第２の光ディスク用の第２の対物レンズを設けるための第２の設置孔とを含み、
前記第２の光ディスクは、前記第１の光ディスクよりも高い記録密度を有し、
前記第１の対物レンズが前記第１の光ディスクを記録及び／又は再生するのに使用されるとき、前記第１の光ディスクは、前記第１の光ディスクから前記第１の対物レンズまでの作動距離がＷＤ１で表されるように配置され、
前記第２の対物レンズが前記第２の光ディスクを記録及び／又は再生するのに使用されるとき、前記第２の光ディスクは、前記第２の光ディスクから前記第２の対物レンズまでの作動距離がＷＤ２（ＷＤ１≧ＷＤ２）で表されるように配置される、
光ピックアップ用のアクチュエータ。
【請求項２】
前記第１の対物レンズが前記第１の光ディスクを記録及び／又は再生するのに使用されるとき、前記第１の光ディスクは、前記第１の光ディスクから前記第２の対物レンズまでの離隔距離がＷＤ２＋αに等しくなるよう配置される、
請求項１に記載のアクチュエータ。
【請求項３】
前記第２の対物レンズが前記第２の光ディスクを記録及び／又は再生するのに使用されるとき、前記第２の光ディスクは、前記第２の光ディスクから前記第１の対物レンズまでの離隔距離がＷＤ１−αに等しくなるよう配置される、
請求項２に記載のアクチュエータ。
【請求項４】
α＝｜ＷＤ１−ＷＤ２｜×（０．１〜１．０）である、
請求項３に記載のアクチュエータ。
【請求項５】
作動距離ＷＤ１及びＷＤ２のそれぞれが少なくとも０．６ｍｍ以上の場合、αは、０．１ｍｍ以上である、
請求項２に記載の光ピックアップ用のアクチュエータ。
【請求項６】
前記複数の設置孔の一方は、他方の設置孔よりも、前記光ディスクにおけるより外側の円周のところに配置される、
請求項１に記載のアクチュエータ。
【請求項７】
前記第２の設置孔は、前記第１の設置孔よりも、前記光ディスクにおけるより外側の円周のところに配置される、
請求項１に記載のアクチュエータ。
【請求項８】
前記第２の光ディスクは、ブルーレイディスク記録媒体フォーマットの光ディスクを含む、
請求項１に記載のアクチュエータ。
【請求項９】
前記第１の光ディスクは、ＤＶＤフォーマットの光ディスクを含む、
請求項１に記載のアクチュエータ。
【請求項１０】
前記第１の光ディスクは、ＣＤフォーマットの光ディスクを含む、
請求項１に記載のアクチュエータ。
【請求項１１】
ホルダーが固設されるベースと、
前記支持部材によって移動自在に支持される前記レンズホルダーをフォーカス方向及びトラック方向に駆動するための磁気回路とを更に含む、
請求項１に記載のアクチュエータ。
【請求項１２】
第一設置孔及び第二設置孔を有するレンズホルダーを移動自在に支持するステップ；
第１の光ディスクを記録及び／又は再生するための第１の対物レンズを、前記レンズホルダーにおける前記第１の設置孔に提供するステップ；
第２の光ディスクであり前記第１の光ディスクよりも高い記録密度を有する第２の光ディスクを記録及び／又は再生するための第２の対物レンズを、前記レンズホルダーにおける前記第２の設置孔に提供するステップ；
前記第１の対物レンズが前記第１の光ディスクを記録及び／又は再生するのに使用されるときに前記第１の光ディスクから前記第１の対物レンズまでの作動距離がＷＤ１で表されるように前記第１の光ディスクを配置するステップ；、及び
前記第２の対物レンズが前記第２の光ディスクを記録及び／又は再生するのに使用されるときに前記第２の光ディスクから前記第２の対物レンズまでの作動距離がＷＤ２（ＷＤ１≧ＷＤ２）で表されるように前記第２の光ディスクを配置するステップ；
を有する方法。
【請求項１３】
前記第１の光ディスクを記録及び／又は再生するために前記第１の対物レンズが使用されるときに前記第１の光ディスクから前記第２の対物レンズまでの離隔距離がＷＤ２＋αに等しくなるよう前記第１の光ディスクを配置するステップを更に有する、
請求項１２に記載の方法。
【請求項１４】
前記第２の光ディスクを記録及び／又は再生するために前記第２の対物レンズが使用されるときに前記第２の光ディスクから前記第１の対物レンズまでの離隔距離がＷＤ１−αに等しくなるよう前記第２の光ディスクを配置するステップを更に有する、
請求項１３に記載の方法。
【請求項１５】
α＝｜ＷＤ１−ＷＤ２｜×（０．１〜１．０）である、
請求項１４に記載の方法。
【請求項１６】
作動距離ＷＤ１及びＷＤ２のそれぞれが少なくとも０．６ｍｍ以上である場合、αは、０．１ｍｍ以上である、
請求項１３に記載の方法。
【請求項１７】
前記複数の設置孔の一方は、他方の設置孔よりも、前記光ディスクにおけるより外側の円周のところに配置される、
請求項１２に記載の方法。
【請求項１８】
前記第２の設置孔は、前記第１の設置孔よりも、前記光ディスクにおけるより外側の円周のところに配置される、
請求項１２に記載の方法。
【発明の詳細な説明】
【技術分野】
【０００１】
本発明は光ピックアップ用のアクチュエータに係り、より詳細には、相異なる記録密度を有する複数の光ディスクの記録及び／又は再生が可能に複数の対物レンズを搭載した光ピックアップ用のアクチュエータに関する。
【背景技術】
【０００２】
デジタル多機能ディスク（以下、ＤＶＤ）は、公知のように、波長６５０ｎｍ（または６３５ｎｍ）の光及び開口数０．６（記録可能型である場合に０．６５）の対物レンズを使って記録及び／又は再生を行う。この種のＤＶＤは、直径を１２０ｍｍとし、トラックピッチを０．７４μｍとすれば、片面に対して４．７ＧＢ以上の記録容量を有する。
【０００３】
このため、ＤＶＤは、高鮮明（ＨＤ）級の動映像情報を記録するための記録媒体として不十分である。これは、１３５分の分量の動映像情報をＨＤ級で記録するためには、片面に対して、例えば２３ＧＢ以上の記録容量が要されるからである。
【０００４】
このような高密度記録容量の要求に応えるために、赤色より短波長の光、すなわち、青色光及び０．６より大きい開口数の対物レンズを使用し、より狭トラックを有する高密度光ディスク、すなわち、次世代ＤＶＤ（以下、ＨＤ−ＤＶＤ）に関する開発及び規格の標準化が推し進められている。
【０００５】
一方、光ディスクの傾斜による公差を確保するには、高密度化のために対物レンズの開口数を高めて光ディスクを薄める必要がある。このような光ディスクの傾斜による許容公差を考慮する時、ＣＤの場合に１．２ｍｍからＤＶＤの場合に０．６ｍｍに薄め、今後のＨＤ−ＤＶＤは０．１ｍｍの厚さになる可能性が高い。対物レンズの開口数は、ＣＤの場合に０．４５からＤＶＤの場合に０．６に高まり、ＨＤ−ＤＶＤの場合には０．８５になる可能性が高い。また、ＨＤ−ＤＶＤの光源としては、記録容量を考慮する時、青紫色の光源が採用される可能性が高い。このように新しい規格の光ディスクを開発するに当たって問題となるのは、既存の光ディスクとの互換性である。
【０００６】
ところで、０．８５のように高開口数を有する対物レンズを一枚に設計、製作するには相当の技術が要されるだけではなく、このように高開口数を有しつつ作動距離をＤＶＤ用の対物レンズのように長くすることは難しい。
【０００７】
従って、作動距離の問題を解決するために、高密度の記録／再生が可能な互換型光ピックアップでは、ＣＤ及び／またはＤＶＤを記録／再生するのに使われる少なくとも一枚の対物レンズとこれより高開口数を有する高密度記録用の対物レンズとを別途に備える必要がある。
【０００８】
一方、光ピックアップ用のアクチュエータは、フォーカス及びトラックの両方向に駆動可能に磁気回路が構成されており、この磁気回路は、フォーカス方向には光ディスクと対物レンズとの間の間隔を一定の間隔に維持すると共に、トラック方向には対物レンズを所望のトラック位置（トラック中心）に移動させる役割を果たす。ところが、前述の通り、記録密度が相異なる前記複数の光ディスクを互換採用する光ピックアップでは、相異なる記録密度を有する複数の光ディスクに各々対応する対物レンズを必要とするため、複数の対物レンズを備える光ピックアップに適用されるアクチュエータは、複数の対物レンズを可動部に搭載してフォーカス及びトラック方向に移動可能に構成されなければならない。
【０００９】
図１を参照すれば、特開平１０−１０６００１号公報に開示されたアクチュエータは、２枚の対物レンズ２，３が設けられるレンズホルダー（ボビン）７と、前記レンズホルダー７を回転自在に案内する回転軸１と、対物レンズ２，３をフォーカス及びトラック方向に駆動するための磁気回路とを含んでなる。
【００１０】
２枚の対物レンズ２，３は、回転軸１の中心に対して一定の配置角度θをなすように配されており、回転軸１を中心として切り換え可能に設けられている。
【００１１】
前記磁気回路は、レンズホルダー７に設けられたフォーカス及びトラックコイル８，９と、ヨーク５ａ，５ｂ及び多数のマグネット６を含む。多数のマグネット６は、回転軸１を中心として対物レンズ２３の配置角度θより大きい配置角度δをもって配されている。トラックコイル９は、マグネット６に対応して設けられている。
【００１２】
前記の如き構成を有する従来のアクチュエータは、一つのレンズホルダー７に回転軸１を中心として一定の配置角度θをもって装着された２枚の対物レンズ２，３を切り換えて、記録密度及び厚さが相異なる複数の光ディスクを記録／再生するようになっている。ここで、図１に示された従来のアクチュエータについての詳細な説明は特開平１０−１０６００１号公報に開示されているため、より詳細な説明は省く。
【００１３】
しかしながら、前記の如き従来のアクチュエータは、各対物レンズ２，３の切り換えの前後にその対物レンズ２，３の位置を制御するための複雑な磁気回路と対物レンズ２，３の切り換えのための別途の構成とを必要とするため、全体的な構成が複雑であるといった短所がある。
【００１４】
さらに、前記の如き従来のアクチュエータは軸摂動方式であって、感度が比較的に低くて非線形性が比較的に大きいため、ＤＶＤより高密度の光ディスクの記録／再生には適用し難い。
【００１５】
さらに、前記の如き従来のアクチュエータは、ボビンに一枚の対物レンズを装着する通常のアクチュエータ構造に比べて可動部が大きくて重いため、感度が大いに低下するといった問題点がある。
【先行技術文献】
【特許文献】
【００１６】
【特許文献１】特開平１０−１０６００１号公報
【発明の概要】
【発明が解決しようとする課題】
【００１７】
本発明は前記事情に鑑みてなされたものであり、その目的は、２枚の対物レンズを一つのボビンに装着した構造でありつつも、従来に比べて全体的な構成が簡単であり、可動部が軽量であって優れた感度特性を有する光ピックアップ用のアクチュエータを提供するところにある。
【課題を解決するための手段】
【００１８】
前記目的を達成するために、本発明に係る光ピックアップ用のアクチュエータは、ホルダーが固設されるベースと、記録密度が相異なる光ディスクを記録及び／又は再生するための複数の対物レンズが相異なる高さに設置可能に複数の設置孔が形成されたボビンと、一端が前記ボビンに結合されて他端が前記ホルダーに結合され、前記ボビンを移動自在に支持する支持部材と、前記ボビンをフォーカス方向及びトラック方向に駆動するための磁気回路とを含むことを特徴とする。
【００１９】
ここで、前記複数の設置孔は、光ディスクの半径方向に対応する方向に配されたことが望ましい。
【００２０】
前記磁気回路は、前記対物レンズをフォーカス方向に駆動するための第１の磁気回路と、前記対物レンズをトラック方向に駆動するための第２の磁気回路とが分離されて可動部が軽量化可能であることが望ましい。
【００２１】
前記目的を達成するために、本発明に係る光ピックアップ用のアクチュエータは、ホルダーが固設されるベースと、記録密度が相異なる光ディスクを記録及び／又は再生するための複数の対物レンズが設置可能に複数の設置孔が形成されたボビンと、一端が前記ボビンに結合されて他端が前記ホルダーに結合され、前記ボビンを移動自在に支持する支持部材と、前記ボビンをフォーカス方向及びトラック方向に駆動するための磁気回路とを含み、前記磁気回路は、前記対物レンズをフォーカス方向に駆動するための第１の磁気回路と、前記対物レンズをトラック方向に駆動するための第２の磁気回路とが分離されて可動部が軽量化可能であることを特徴とする。
【００２２】
ここで、前記複数の設置孔は、前記複数の対物レンズが相異なる高さに設置可能であることが望ましい。
【００２３】
さらに、前記複数の設置孔は、光ディスクの半径方向に対応する方向に配されたことが望ましい。
【００２４】
以上で、前記第１の磁気回路は、前記ボビンに設けられたフォーカスコイルと、前記フォーカスコイルに対向してベースに設けられたフォーカス磁石とを含み、前記第２の磁気回路は、前記ボビンに設けられたトラックコイルと、前記トラックコイルに対向してベースに設けられたトラック磁石とを含むことが望ましい。
【００２５】
ここで、前記フォーカス磁石は、フォーカス方向に２極着磁された分極磁石であり、これに対応してフォーカスコイルが設けられることができる。
【００２６】
前記トラック磁石は、トラック方向に２極着磁された分極磁石であり、これに対応してトラックコイルが設けられることができる。
【００２７】
代案として、前記トラック磁石は、トラック方向に３極着磁された分極磁石であり、これに対応して一対のトラックコイルが設けられることができる。
【００２８】
一方、前記第１及び第２の磁気回路は、前記ボビンの前記光ディスクの半径方向に対応する方向に平行な側面側に設けられることが望ましい。この時、前記第１の磁気回路は、前記フォーカス磁石からの磁束をガイドするための内側ヨーク及び外側ヨークのうち少なくとも一つのヨークをさらに備えることが望ましい。
【００２９】
前記第２の磁気回路のトラック磁石及びトラックコイルは、前記第１の磁気回路のフォーカスコイル及びフォーカス磁石よりボビンの中央部に近い側に配されることが望ましい。
【００３０】
一方、前記複数の設置孔は、少なくとも１種の低密度光ディスク用の第１の対物レンズを設けるための第１の設置孔と、前記低密度光ディスクより高密度光ディスク用の第２の対物レンズを設けるための第２の設置孔とを含むことが望ましい。
【００３１】
前記第２の設置孔が前記第１設置孔より光ディスクの内径側に位置することが望ましい。
【００３２】
前記低密度光ディスクは、ＣＤ系の光ディスク及びＤＶＤ系の光ディスクのうち少なくとも何れか一つであり、前記高密度光ディスクは、ＤＶＤ系の光ディスクより高密度であることが望ましい。
【００３３】
前記第１の設置孔に設けられる低密度光ディスク用の第１の対物レンズの作動距離をＷＤ１、前記第２の設置孔に設けられる高密度光ディスク用の第２の対物レンズの作動距離をＷＤ２とした時、前記第１及び第２の設置孔は、前記第１及び第２の対物レンズが次の条件式、
ＷＤ１≧ＷＤ２
第２の対物レンズの光ディスクに対する離隔距離＝ＷＤ２＋α
ここで、α＝｜ＷＤ１−ＷＤ２｜×（０．１〜１．０）
を満足するように設置可能に設けられて、光ディスクの装着及び作動距離の大きい第１の対物レンズの動作時に短い作動距離を有する第２の対物レンズと光ディスクとの接触を防止することが望ましい。
【図面の簡単な説明】
【００３４】
【図１】特開平１０−１０６００１号公報に開示された従来のアクチュエータを概略的に示す図である。
【図２】本発明に係る光ピックアップ用のアクチュエータの全体的な構造を概略的に示す斜視図である。
【図３】図２の平面図である。
【図４】図２に示されたボビンを抜粋して示す斜視図である。
【図５】図４のV−V線断面図である。
【図６】作動距離が相異なる２枚の対物レンズが通常の光ピックアップ用のアクチュエータに搭載される時の光ディスクと２枚の対物レンズとの離隔距離を示す図である。
【図７】作動距離が相異なる２枚の対物レンズが本発明に係る光ピックアップ用のアクチュエータのボビンに搭載される時の光ディスクと２枚の対物レンズとの離隔距離を示す図である。
【図８】本発明に係る光ピックアップ用のアクチュエータに採用される第１の磁気回路の一実施の形態を概略的に示す斜視図である。
【図９Ａ】図８の第１の磁気回路によりボビンがフォーカス方向に駆動される原理を示す図である。
【図９Ｂ】図８の第１の磁気回路によりボビンがフォーカス方向に駆動される原理を示す図である。
【図１０】本発明に係る光ピックアップ用のアクチュエータに採用される第２の磁気回路の一実施の形態を概略的に示す斜視図である。
【図１１Ａ】図１０の第２の磁気回路によりボビンがトラック方向に駆動される原理を示す図である。
【図１１Ｂ】図１０の第２の磁気回路によりボビンがトラック方向に駆動される原理を示す図である。
【図１２】本発明に係る光ピックアップ用のアクチュエータに採用される第２の磁気回路の他の実施の形態を概略的に示す斜視図である。
【図１３】図２に示されたフォーカス磁石及びこのフォーカス磁石から発せられた磁気力線をガイドするための内側及び外側ヨークを抜粋して示す斜視図である。
【発明を実施するための形態】
【００３５】
以下、添付した図面に基づき、本発明の望ましい実施形態を詳細に説明する。
【００３６】
本発明に係るアクチュエータは、相異なる作動距離を有する複数の対物レンズを一つのボビンに搭載しており、可動部がフォーカス及びトラック方向に独立的に移動可能な２軸駆動装置であって、２種の記録密度が相異なる光ディスク（例えば、ＨＤ−ＤＶＤ及びＤＶＤ）または３種以上の記録密度が相異なる光ディスク（例えば、ＨＤ−ＤＶＤ，ＤＶＤ及びＣＤ）を記録及び／または再生するための光ピックアップに適用できる。
【００３７】
図２は、本発明に係る光ピックアップ用のアクチュエータの全体的な構造を概略的に示す斜視図であり、図３は、図２の平面図である。そして図４は、図２に示されたボビンを抜粋して示す斜視図であり、図５は、図４のV−V線断面図である。
【００３８】
図を参照するに、本発明に係る光ピックアップ用のアクチュエータは、ホルダー１１が固設されるベース１０と、相異なる作動距離を有する複数の対物レンズ３１，３５が設置可能に複数の設置孔２１，２５が形成されたボビン２０と、一端がボビン２０に固着されて他端がホルダー１１に固着され、ボビン２０を移動自在に支持する支持部材（サスペンション）１３と、ボビン２０をフォーカス方向及びトラック方向に駆動するための磁気回路とを含んでなる。
【００３９】
複数の対物レンズ３１，３５は、記録密度が相異なる少なくとも１種の低密度光ディスクを記録及び／または再生するのに使われる第１の対物レンズ３１と、前記低密度光ディスクより高密度である光ディスク（以下、高密度光ディスク）を記録及び／または再生するのに使われる第２の対物レンズ３５とを含み、第１及び第２の対物レンズ３１，３５は、相異なる作動距離を有する。第１の対物レンズ３１は、例えば低密度光ディスクであるＤＶＤ系の光ディスク（以下、ＤＶＤ）が記録／再生できつつ、ＣＤ系の光ディスク（以下、ＣＤ）をも記録／再生できることが望ましい。第２の対物レンズ３５は、例えばＤＶＤより高密度光ディスクであるＨＤ−ＤＶＤ系の光ディスク（以下、ＨＤ−ＤＶＤ）が記録／再生可能であることが望ましい。ここで、複数の対物レンズ３１，３５は、記録密度が相異なる３種以上の光ディスクを記録及び／または再生するのに使用可能に、作動距離が相異なる３枚以上の対物レンズよりなることもできる。
【００４０】
本発明に係るアクチュエータは、一つのボビン２０に複数の対物レンズ３１，３５が光ディスクの半径方向に対応する方向（Ｒ方向）に設置可能に設けられ、複数の対物レンズを必要とする光ピックアップとの互換性が確保可能であることが望ましい。これは、光ピックアップが光ディスクドライブ内において光ディスク半径方向に移動しつつ、情報信号を記録及び／または再生するからである。
【００４１】
さらに、本発明に係るアクチュエータは、高密度光ディスク用の第２の対物レンズ３５が低密度光ディスク用の第１の対物レンズ３１より光ディスクの内径側に設置可能に設けられたことが望ましい。これは、例えば高密度光ディスクであるＨＤ−ＤＶＤのデータ記録／再生開始領域が、低密度光ディスクであるＤＶＤのデータ記録／再生開始領域より内径側に位置するからである。
【００４２】
本発明に係る光ピックアップ用のアクチュエータがボビン２０に、前記の如き２枚の対物レンズ３１，３５を搭載する構造である場合、ボビン２０には、図４に示されたように、第１の対物レンズ３１を設けるための第１の設置孔２１と、第２の対物レンズ３５を設けるための第２の設置孔２５とが形成される。ここで、ボビン２０に形成される設置孔の数は、搭載する対物レンズの数に対応する。
【００４３】
第１及び第２の設置孔２１、２５は、Ｒ方向に配置され、図４及び図５に示されたように、第１及び第２の対物レンズ３１，３５が相異なる高さに設置可能に設けられたことが望ましい。すなわち、第１の設置孔２１にはボビン２０の光ディスクに対向する上面から相対的に深い位置に設置爪２１ａが形成されて低密度光ディスク用として作動距離が長い第１の対物レンズ３１が設置可能であることが望ましい。第２の設置孔２５には、ボビン２０の光ディスクに対向する上面と同じ高さ（あるいは第１の設置孔２１に形成された設置爪２１ａよりボビン２０の上面に近い位置）に設置爪２５ａが形成されて、高密度光ディスク用として作動距離が短い第２の対物レンズ３５が設置可能であることが望ましい。
【００４４】
第１の設置孔２１に設けられる低密度光ディスク用の第１対物レンズ３１の作動距離をＷＤ１、第２の設置孔２５に設けられる高密度光ディスク用の第２の対物レンズ３５の作動距離をＷＤ２とした時、第１及び第２の設置孔２１，２５は、第１及び第２の対物レンズ３１，３５が次の式（１）
ＷＤ１≧ＷＤ２
第２の対物レンズの光ディスクに対する離隔距離＝ＷＤ２＋α
ここで、α＝｜ＷＤ１−ＷＤ２｜×（０．１〜１．０）
を満足するように設置可能に設けられたことが望ましい。
【００４５】
図６は、第１及び第２の対物レンズ３１，３５が通常の光ピックアップ用のアクチュエータに搭載される時の光ディスク５０と第１及び第２の対物レンズ３１，３５との離隔距離を示している。図７は、第１及び第２の対物レンズ３１，３５が本発明に係る光ピックアップ用のアクチュエータのボビン２０に搭載される時の光ディスク５０と第１及び第２の対物レンズ３１，３５との離隔距離を示している。図６及び図７の比較から分かるように、第１及び第２の設置孔２１，２５が式（１）を満足する状態で第１及び第２の対物レンズ３１，３５が設置可能に形成されれば、第２の対物レンズ３５と光ディスクとの基本的な離隔距離がWD2+αとなるため、光ディスクの初期装着及び作動距離が長い第１の対物レンズ３１の動作時に短い作動距離を有する第２の対物レンズ３５と光ディスクとの接触干渉が防止される。
【００４６】
さらに、図２及び図３を参照すれば、本発明に係る光ピックアップ用のアクチュエータにおいて、磁気回路は、対物レンズ３１，３５をフォーカス方向に駆動するための第１の磁気回路５１と、対物レンズ３１，３５をトラック方向に駆動するための第２の磁気回路５５とに分離されており、可動部が軽量化可能である。この時、第１及び第２の磁気回路５１，５５はボビン２０の同一側面側（望ましくは、前記Ｒ方向に平行な側面）に設けられることが望ましい。
【００４７】
ここで、本発明に係るアクチュエータのボビン２０に第１及び第２の対物レンズ３１，３５を搭載した状態の光ピックアップ組立て体において、可動部は、ボビン２０、第１及び第２の対物レンズ３１，３５、ボビン２０に設けられる磁気回路部分（望ましくは、フォーカス及びトラックコイル５３，５７）を含む。
【００４８】
第１の磁気回路５１は、フォーカスコイル５３及びフォーカス磁石５２を含んでなる。本発明に係る光ピックアップ用のアクチュエータにおいて、フォーカスコイル５３は、ボビン２０のＲ方向に平行な両側面に各々設けられ、フォーカス磁石５２は、フォーカスコイル５３に対向してベース１０に設けられることが望ましい。
【００４９】
フォーカス磁石５２は、図８に示されたように、２極着磁された分極磁石であり、フォーカスコイル５３は、フォーカス磁石５２のＮ極部分５２ａとＳ極部分５２ｂとにその長辺が置かれるように形成された長方形であることが望ましい。この場合、図９Ａ及び図９Ｂに見られるように、一対の長辺に当たるフォーカスコイル５３の部分はいずれも電磁気力を発生させるのに寄与できる有効フォーカスコイル５３となる。このように、長方形のフォーカスコイル５３のうち一対の長辺に当たる部分が有効フォーカスコイルとして働けば、可動部に設けられるフォーカスコイル５３が全体的に短くなる。
【００５０】
ここで、フォーカス磁石５２のＮ極部分５２ａがＳ極部分５２ｂより上方に位置され、Ｎ極部分５２ａからの磁場の方向が地面から跳ね返る方向であるとした時、１対の長辺に当たるフォーカスコイル５３の部分は、図９Ａに見られるように、反時計回り方向に電流が流れる時、フレミングの左手の法則に従い上方に力を受ける。フォーカスコイル５３に前記とは反対方向に電流が流れれば、一対の長辺に当たるフォーカスコイル５３の部分は、図９Ｂに見られるように、下方に力を受ける。従って、フォーカスコイル５３に印加される電流の極性及び電流の量を調節すれば、ボビン２０に搭載された第１及び第２の対物レンズ３１，３５のフォーカス方向に沿った位置を制御することができる。
【００５１】
第２の磁気回路５５は、トラックコイル５７及びトラック磁石５６を含んでなる。本発明に係る光ピックアップ用のアクチュエータにおいて、トラックコイル５７は、ボビン２０の両側面に各々設けられ、トラック磁石５６は、トラックコイル５７に対向してベース１０に設けられることが望ましい。
【００５２】
トラック磁石５６は、図１０に示されたように、Ｒ方向に２極着磁された分極磁石であり、トラックコイル５７は、トラック磁石５６のＮ極部分５６ａとＳ極部分５６ｂとにその長辺が置かれるように形成された長方形であることが望ましい。この場合、図１１Ａ及び図１１Ｂに見られるように、一対の長辺に当たるトラックコイル５７の部分がいずれも磁気力を発生させるのに寄与できる有効トラックコイルとなる。このように、長方形のトラックコイル５７のうち一対の長辺に当たる部分が有効トラックコイルとして働けば、可動部に設けられるトラックコイル５７は全体的に短くなる。
【００５３】
ここで、トラック磁石５６のＮ極部分５６ａがＳ極部分５６ｂより左側に位置され、Ｎ極部分５６ａからの磁束の方向が地面から跳ね返る方向であるとした時、一対の長辺に当たるトラックコイル５７の部分は、図１１Ａに見られるように、反時計回り方向に電流が流れる時、左側方向に力を受ける。トラックコイル５７に前記とは反対方向にも電流が流れれば、一対の長辺に当たるトラックコイル５７の部分は、図１１Ｂに見られるように、右側に力を受ける。従って、トラックコイル５７に印加される電流の極性及び電流の量を調節すれば、ボビン２０に搭載された第１及び第２の対物レンズ３１，３５のトラック方向に沿った位置を制御することができる。
【００５４】
代案として、トラック磁石５６としては、図１２に示されたように、Ｒ方向に３極着磁された分極磁石を備えても良い。この時、トラックコイル５７は、３極着磁されたトラック磁石５６のＮ極部分５６ａとＳ極部分５６ｂとにその長辺が置かれるように一対を備えることが望ましい。ここで、図１２に示されたような３極着磁されたトラック磁石５６と、一対のトラックコイル５７との配置関係において、印加される電流方向に応じてトラックコイル５７が受ける力の方向は図１１Ａ及び図１１Ｂから十分に類推できるので、その詳細な説明は省く。
【００５５】
前述の如き構成された磁気回路は、結果的に、有効フォーカスコイル及び有効トラックコイルを長くする効果があってフォーカスコイル５３及びトラックコイル５７を全体的に短くできるので、可動部の軽量化が可能になる。
【００５６】
一方、本発明に係る光ピックアップ用のアクチュエータは、フォーカス磁石５２から発せられた磁気力線をガイドしてフォーカス方向に駆動力を発生させるための有効磁場の強度を高めるように、内側及び外側ヨーク５８，５９をさらに備えることが望ましい。図１３は、図２に示されたフォーカス磁石５２及びこのフォーカス磁石５２から発せられた磁気力線をガイドするための内側及び外側ヨーク５８，５９を抜粋して示す斜視図である。内側及び外側ヨーク５８，５９は、ベース１０と同じ材質から一体的に形成できる。ここで、フォーカス磁石５２から発せられた磁気力線をガイドするために、内側及び外側ヨーク５８，５９のうち何れか一つのみを備えても良い。
【００５７】
前述の通り、内側及び外側ヨーク５８，５９を備える場合、フォーカス磁石５２は外側ヨーク５９のボビン２０との対向面に設けられ、内側ヨーク５８は、フォーカスコイル５３とボビン２０との中央部に位置される。従って、内側及び外側ヨーク５８，５９を備える場合、ボビン２０には、図４に示されたように、内側ヨーク５８が挿通される挿通孔６１がさらに備えられる。
【００５８】
一方、内側ヨーク５８は、図２及び図１３に示されたように、第２の磁気回路５５のトラック磁石５６に対してはマウントとして使用可能である。この時、トラック磁石５６は、内側ヨーク５８のボビン２０の中央部との対向面に設けられる。そして、トラックコイル５７は、挿通孔６１の内においてトラック磁石５６と対向するようにボビン２０に設けられる。
【００５９】
前述の通り、内側及び外側ヨーク５８，５９を備え、内側ヨーク５８をトラック磁石５６を設けるためのマウントとして使用し、挿通孔６１のボビン２０の中央部との対向面にトラックコイル５７を配置する場合、挿通孔６１は、ボビン２０のフォーカス及びトラック方向への移動が挿通孔６１に位置される内側ヨーク５８、トラック磁石５６、トラックコイル５７等に影響されないような大きさに形成されたことが望ましい。この時、ボビン２０の所望の位置から大いに外れようとする場合、挿通孔６１に挿通されている内側ヨーク５８によりボビン２０が係止されて動きが制限されるので、内側ヨーク５８はボビン２０の動きをガイドする役割を果たす。
【００６０】
図２及び図１３に基づき説明したように、内側及び外側ヨーク５８，５９を備えて有効磁場の強度を極大化させ、フォーカス磁石５２としてフォーカス方向に２極着磁された分極磁石を備えつつフォーカスコイル５３を長辺がフォーカス磁石５２のＮ極及びＳ極部分に置かれるように長方形とすれば、所望の大きさの磁気駆動力を発生させるためのフォーカスコイル５３を小型軽量化できる。さらに、トラック磁石５６としてＲ方向に２極または３極着磁された分極磁石を備えつつ、トラックコイル５７の長辺がトラック磁石５６のＮ極及びＳ極部分５６ａ，５６ｂに置かれるように長方形とすれば、所望の大きさの磁気駆動力を発生させるためのトラックコイル５７を小型軽量化できる。結果的に、フォーカス及びトラック磁石５２，５６として分極磁石を使用する前述の如き磁気回路の構成によれば、可動部の軽量化が可能になる。
【００６１】
ここで、本発明に係るアクチュエータがボビン２０に２枚の対物レンズ３１，３５を搭載するために、ボビン２０に搭載される対物レンズ３１，３５がボビンに一枚の対物レンズを搭載する通常のアクチュエータに比べて重くなる。しかし、本発明に係る光ピックアップ用のアクチュエータは、磁気回路をフォーカス方向への調整のための第１の磁気回路５１とトラック方向への調整のための第２の磁気回路５５とに分離し、フォーカス及びトラック磁石５２，５６として分極磁石を備えることにより、可動部に設けられる磁気回路（特に、フォーカスコイル５３及びトラックコイル５７）を通常のアクチュエータの場合に比べて軽量化でき、フォーカス及びトラック方向への調整のための電磁気力は通常のアクチュエータに比べて強い。従って、結果的に、本発明に係るアクチュエータにおける可動部がボビンに一枚の対物レンズを搭載する通常のアクチュエータの可動部より重いとしても、感度の低下が防止可能である。さらに、本発明に係るアクチュエータにおける可動部がボビンに一枚の対物レンズを搭載する通常のアクチュエータの可動部より重くない場合もある。
【００６２】
以上では、本発明に係るアクチュエータが一つのボビン２０に作動距離が相異なる２枚の対物レンズ３１，３５を搭載する構造であると説明及び図示したが、これは単なる例示に過ぎず、本発明がこれに限定されることはない。
【００６３】
すなわち、以上述べたように、本発明に係るアクチュエータは、一つのボビンに２枚以上の対物レンズを搭載する構造であって、２種または３種以上の記録密度が相異なる光ディスク例えば、ＣＤ、ＤＶＤ、ＨＤ−ＤＶＤを互換して記録／再生できる光ピックアップに適用可能である。
【００６４】
以上述べたように、本発明に係るアクチュエータが適用可能な光ピックアップは、例えば、ＨＤ−ＤＶＤなどの高密度光ディスクを記録／再生するための光学系と、ＤＶＤ（付加的にＣＤ）などの低密度光ディスクを記録／再生するための光学系とを別途に備えた構造であることもできる。本発明に係るアクチュエータが適用可能な光ピックアップの光学的な構成に対する具体的な例については、この技術分野における当業者であれば十分に分かるので、本発明に係るアクチュエータが適用可能な光ピックアップの光学的な構成の具体例についての詳細な説明及び図示は省く。
【００６５】
以下では、前述の如き本発明に係る光ピックアップ用のアクチュエータを適用した光ディスクドライブの作動を簡単に説明する。
【００６６】
光ディスクが光ディスクドライブ内に挿入されれば、光ピックアップの内部に設けられる光検出器または別途の検出デバイスにより挿入された光ディスクの種類を判別する。光ディスクの種類は、記録密度により分類できる。
【００６７】
光ディスクの種類の判別が完了すれば、挿入された光ディスクの種類に対応する対物レンズのためのフォーカスサーボ及びトラックサーボが順次に行われる。すなわち、挿入された光ディスクが高密度光ディスク（例えば、ＨＤ−ＤＶＤ）であれば、ボビンに搭載された内径側の対物レンズが挿入された光ディスク上の適宜な位置にくるようにフォーカスサーボ及びトラックサーボが作動する。挿入された光ディスクが低密度光ディスク（例えば、ＤＶＤまたはＣＤ）であれば、ボビンに搭載された外径側の対物レンズが挿入された光ディスク上の適宜な位置にくるようにフォーカスサーボ及びトラックサーボが作動する。
【００６８】
ここで、フォーカスサーボ及びトラックサーボは、光ピックアップの内部に設けられた光検出器で検出されるフォーカス及びトラック誤差信号に基づき、アクチュエータの可動部に取り付けられたフォーカス及びトラックコイルに電流を印加し、これにより可動部の変位を発生させる方式により作動する。この時、フォーカスコイル及びトラックコイルに電流が印加されれば、フォーカスコイル及びトラックコイルに流れる電流と、フォーカス磁石及びトラック磁石から発せられる磁束との相互作用により電子力が発生し、これにより、ボビンがフォーカス及びトラック方向に移動する。
【００６９】
前述の通り、本発明に係る光ピックアップ用のアクチュエータは、２枚の対物レンズを一つのボビンに装着した構造でありつつも、従来の軸摂動方式のアクチュエータとは異なって、各対物レンズの切り換えのためのデバイス構成が不要になるので、全体的な構成が簡単である。
【００７０】
さらに、本発明に係る光ピックアップ用のアクチュエータは、ボビンをトラック方向に調整するための磁気回路と、ボビンをフォーカス方向に調整するための磁気回路とを分離した構造であることから、可動部が軽量化ができて優れた感度特性を有する。
【００７１】
さらに、本発明に係る光ピックアップ用のアクチュエータは、式（１）を満足するように作動距離の短い高密度用の対物レンズがボビンに搭載可能に設けられて、光ディスクの初期装着時や低密度光ディスクの採用時に、高密度用の対物レンズと光ディスクとの干渉が防止される。
【００７２】
さらに、本発明に係る光ピックアップ用のアクチュエータは、作動距離の長い対物レンズを、作動距離の短い対物レンズよりボビンの上面から深い位置に設ける構造であることから、光ピックアップの薄型化に寄与できる。
【符号の説明】
【００７３】
１０    ベース
１１    ホルダー
１３    支持部材（サスペンション）
２０    ボビン
２１    第１の設置孔
２１ａ、２５ａ  設置爪
２５    第２の設置孔
３１    第１の対物レンズ
３５    第２の対物レンズ
５０    光ディスク
５１    第１の磁気回路
５２    フォーカス磁石
５２ａ、５６ａ  Ｎ極部分
５２ｂ、５６ｂ  Ｓ極部分
５３    フォーカスコイル
５５    第２の磁気回路
５６    トラック磁石
５７    トラックコイル
５８    内側ヨーク
５９    外側ヨーク
６１    挿通孔
【図１】
2010108599.tif 000003
【図２】
2010108599.tif 000004
【図３】
2010108599.tif 000005
【図４】
2010108599.tif 000006
【図５】
2010108599.tif 000007
【図６】
2010108599.tif 000008
【図７】
2010108599.tif 000009
【図８】
2010108599.tif 000010
【図９Ａ】
2010108599.tif 000011
【図９Ｂ】
2010108599.tif 000012
【図１０】
2010108599.tif 000013
【図１１Ａ】
2010108599.tif 000014
【図１１Ｂ】
2010108599.tif 000015
【図１２】
2010108599.tif 000016
【図１３】
2010108599.tif 000017